(57)【要約】【課題】左右同一物の杖として製作可能な、使用時も左右の別無く使用可能な、また、杖の握りを握った際の違和感が少ない、さらに、ストラップが手から離脱しにくい、杖を提供する。【解決手段】本願発明では、ストラップを握り後部に設けられた１箇所の開口から取出すのではなく、握り上部の左右にそれぞれ開口を設け、それら開口からストラップを取出す構造とした。また、ストラップの一つの端を半回転することなく、ストラップが折り畳まれる状態になるように、それぞれの開口から取出す構造とした。さらに、握り部が屈曲した杖に適用し、取出したストラップの方向が屈曲部分の上部部分の方向と並行するようにストラップを握りに固定することにより、握り部が屈曲した杖の屈曲の効果を高めた。【選択図】    図１
2005253662.tif 000002
【特許請求の範囲】
【請求項１】
握られる部分に屈曲部分を有する握りの該屈曲部分が握った掌のくぼみに合わせて構成され、握りの該屈曲部分の屈曲点が、屈曲部分を有する直棒状の杖の該屈曲部分の屈曲点と合うように握りに杖が嵌合され、握りの該屈曲部分の下部部分の方向と杖の方向が同方向となるように構成された杖、の握りにストラップを固定する方法であって、握り上部の左右に設けた開口からそれぞれストラップを取出し、取出したストラップの方向が該屈曲部分の上部部分の方向と並行するようにストラップを握りに固定したこと、を特徴とするストラップの固定方法。
【発明の詳細な説明】
【技術分野】
【０００１】
本願発明は、杖の柄のストラップの取り付け方に関する。
【背景技術】
【０００２】
杖の握りを離したときに、杖が手から離散しないように、杖の握る部分（以下「握り」と言う。）にはストラップ（手革）と言われる物が取り付けられている。
また、ストラップの第二の効用として、杖を後方へ押出すため、握りの天を鷲づかみで握った際に、ストラップが手から離脱しないことも望まれる。
【０００３】
このような鑑点から、従来から、図３および図４に示すように、シャフト３７に嵌合された握り３１にストラップ３４を固定する方法としては、１本のストラップの両端を同一方向に向くように重ね、重ねられたストラップの両端部を握りの後方（腕側）一ヵ所に設けられた開口３３に差し込み、さらに握りの天の部分からビスをねじりこんで固定する方法（図示省略）が用いられている。
この際、ストラップは使用時に手首に馴染むようにするために、ストラップの両端は単に折り畳まれて重ねられるのではなく、ストラップの一つの端は半回転されて、他端に重ねられている（図４）。
【０００４】
また、上記のようにストラップが固定された場合には、握りを握った際の違和感が少なくなるように、一般には親指側に対応するストラップは下側のストラップとなるようにして使用される。すなわち、図４のストラップは右手用ということになる。
このため、図３に示すような左手用のストラップとするには、上下のストラップを入れ替えて固定するか、あるいはストラップの一つの端を右手用とは逆に回転させて他端に重ねて固定しなければならない。
すなわち、ストラップの取付け如何によって杖の左右が決定されることになる。
【０００５】
このような製作面からの繁雑さを回避すべく、通常は、ストラップを２分割した２本のストラップを用い、端部を重ねてビスで固定した後、杖の左右に応じてストラップのねじりを逆にし、バックル等で両ストラップを結合する方式が採られている（図示省略）。
この方式を採用することにより、左右同一のストックとしての生産が可能となることにはなるが、一方、使用者にとっては、バックル等で両ストラップを結合したときに、杖の左右は決定されることになる。
できることなら、製作時は左右同一物として製作でき、その上、使用時には左右の別無く使用できることが望ましい。
【０００６】
また、このように固定されたストラップ付きの杖の握りを握ると、その状況は図３に示すように、ストラップは握りと掌の間に握りこまれることになる。
一方、握りを握った際、掌にはくぼみが生じるが、図３の握り３１の場合は直棒状であるから、握りと掌のくぼみの間に間隙が生じる。
従って、握りと掌の間に握りこまれたストラップは、図３の直棒状の握りの場合には、握りと掌のくぼみの間隙に握りこまれることになることから、握りを握った際に違和感は生じるものの格段に大きな違和感とはならない。
しかしながら、この違和感は格段に大きくならないと言えども、違和感は少ない方が望ましい。
【０００７】
以上のような状況から、現在に至るも、ストラップの固定には、握りの後方一ヵ所の開口に差し込まれたストラップを握りの天の部分からビスでねじ止めする方法が採用され、また、製作上で杖の左右の別を無くする場合には、ストラップを２分割し、バックル等で両ストラップを結合する方式が採られている。
以上は、握りが直棒状の形状の場合について述べたものである。
【０００８】
しかし、スキー等では杖の先端（石突き）をできるだけ前方に突きたいことから、杖のシャフトの握られる部分および握りを、掌のくぼみに合わせて屈曲させた杖、即ち「握られる部分に屈曲部分を有する握りの該屈曲部分が握った掌のくぼみに合わせて構成され、握りの該屈曲部分の屈曲点が、屈曲部分を有する直棒状の杖の該屈曲部分の屈曲点と合うように握りに杖が嵌合され、握りの該屈曲部分の下部部分の方向と杖の方向が同方向となるように構成された杖」（図１）（以下「握り部屈曲ストック」という。）が本願発明者によって提案されている（特許第３５２２６４９号）。
【０００９】
この握り部屈曲ストックの場合においては、掌のくぼみを積極的に利用し、掌のくぼみに相応した屈曲部分を握りに設けていることから、握りと握った掌のくぼみは密着するため間隙は生じないようになっている。
この場合に、上述のごとき従来のストラップ固定方法、すなわち、握りの後方一ヵ所に設けられた開口からストラップを取出す方法を採用したのでは、握りを握った際、必然的にストラップは握りと掌のくぼみの間に介在することになるから、違和感が生ずることはもちろんのこと、握りを屈曲にした効果を著しく減殺することになる。
【００１０】
【特許文献１】特許電子図書館の公報テキスト検索（公開特許公報）で、以下の条件で検索したが、該当すると思料できるものはありません。                                        「要約と請求の範囲」  「柄  軸柄  グリップ  握り」                  ＡＮＤ  「要約と請求の範囲」  「ストラップ  手革  紐  ひも」                ＡＮＤ  「ＩＰＣ」            Ｂ２５Ｇ  １／１０                                      発見された件数は、２件
【特許文献２】特許電子図書館の公報テキスト検索（公開特許公報）で、以下の条件で検索したが、該当すると思料できるものはありません。                                        「要約と請求の範囲」  「柄  軸柄  グリップ  握り」                  ＡＮＤ  「要約と請求の範囲」  「ストラップ  手革  紐  ひも」                ＡＮＤ  「ＩＰＣ」            Ａ６３Ｃ  １１／２２                                    発見された件数は、１５件
【発明の開示】
【発明が解決しようとする課題】
【００１１】
本願発明の課題は、製作上左右同一物として製作可能な、使用時も左右の別無く使用可能な、また、杖の握りを握った際の違和感が少ない、さらに、握りの天を握った際にもストラップが離脱しない、杖を提供することにある。
【課題を解決するための手段】
【００１２】
本願発明は、ストラップを握り後部に設けられた１箇所の開口から取出すのではなく、握り上部の左右にそれぞれ開口を設け、それらの開口からおのおのストラップを取出す構造とした。
【００１３】
また、ストラップの一つの端を半回転することなく、ストラップが折り畳まれる状態になるように、それぞれの開口から取出す構造とした。
【００１４】
さらに、握り部屈曲ストックに適用し、取出したストラップの方向が該屈曲部分の上部部分の方向と並行するようにストラップを握りに固定した。
【発明の効果】
【００１５】
本願発明は、ストラップを握り後部に設けられた１箇所の開口から取出すのではなく、握り上部の左右にそれぞれ開口を設け、それらの開口からストラップを取出す構造とし、また、ストラップの一つの端を半回転することなく、ストラップが折り畳まれる状態になるように、それぞれの開口から取出す構造としたことから、製作上左右同一物として製作でき、使用時も左右の別無く使用可能となる。
従って、従来のように、ストラップを半回転させて両ストラップを結合するためのバックル等の部材は不要となる。
【００１６】
また、ストラップを握り上部の左右に設けた開口から取出す構造としたことから、ストラップは握りと掌のくぼみの間に介在することがないから（図１、図２）、握った際に生ずる違和感の発生を少なくすることができる。
【００１７】
また、杖を使用しない場合には、ストラップの中間部を（図２中の矢印方向に）半回転させることにより、ストラップをシャフトに沿わせることもでき、杖が嵩張るのを回避でき、運搬時に至便である。
【００１８】
特に、握り部屈曲ストックの場合は、握りと掌のくぼみの間にストラップが介在することがないことから、握った際に生ずる違和感の発生がないことはもちろんのこと、握り部を屈曲させた効果を減殺することは無い（図１）。
【００１９】
また、ストラップの第二の効用として、杖を後方へ押出すため握りの天１２（図１）・２２（図２）・３２（図３、図４）を鷲づかみした際に、ストラップが手から離脱しないことが望まれる。
このストラップの離脱現象は、図２の場合、ストラップ２４の幅中央を通りシャフト２７の軸線と平行な軸線２８を、ストラップが越えた場合に、即ち一点鎖線で示すストラップ端２５の状態を通過した場合に、ストラップが前方に反り返って起こり得ると考えられる（以下「反り返り現象」と総称する。）。
この反り返り現象の如何は、ストラップ素材の剛性・断面形状・ストラップそのものの形状等に大きく依存するものである。
従来のストラップ固定方法（図３）では、握り後部の開口部分の重ねられたストラップ３５の曲げ剛性（断面係数の小さな方の曲げ剛性）が反り返り現象を防止する主たる役割を担っていて、それ相応の効果を発揮している。
一方、握りが直棒状の場合（図２）のストラップ２４は、ストラップの曲げ剛性（断面係数の大きな方の曲げ剛性）が反り返り現象を防止する主たる役割を担っているとは言え、ストラップが上方に行き軸線２８を超えて前方に出た場合に、輪状になって反り返り現象を生じやすく、それも、使用時にはストラップの一部を反転して使用している（図２）等から、反り返り現象は起こりやすいとも考えられる。
しかし、この場合でも、ストラップ２４に、握り上部の開口出口部分で曲げ加工を施して、下向きに握りに沿うように、すなわち使用状態に合致させるように、することにより、ストラップ２４が上方（ストラップ端２５の位置）に行ったときに輪状ではなく逆ハート状になるようにして、反り返り現象に対する抵抗力を大きくすることもできるから、従来のストラップ固定方法と遜色ない程度とすることもできる。
【００２０】
このストラップの第二の効用について、特に、握り部屈曲ストック（図１）の場合は、ストラップ１４は杖下部のシャフトと平行ではなく斜交の関係にあることから、ストラップ１４の幅中央を通りシャフト１７の軸線と平行な軸線１８をストラップが越えた場合、即ち一点鎖線で示すストラップ端１５の状態を通過した場合、でも未だ反り返り現象が起こらず、ストラップ１４の幅中央を通り屈曲部分の上部部分の方向と平行な軸線１９をストラップが越えた場合に、即ち一点鎖線で示すストラップ端１６の状態を通過した場合に、はじめて反り返り現象が起こり得ると考えられるから、直棒状の握り２１（図２）に比べて反転しにくく、従来のストラップ固定方法の場合以上の効果が期待できる。
特に、軸線１８と軸線１９のなす角は、握りの屈曲角と同じであることから、握りの屈曲角が大きくなればなるほど反り返り現象が起こりにくくなることもわかる。
【発明を実施するための最良の形態】
【００２１】
まず、発明を実施するための最良の形態を説明する前に、説明の便宜上から、従来の形態と最良の形態の中間に位置する形態（図２）について説明する。
従来の直棒状の握り２１に、本願発明を構成する要素の一部、即ち握り上部の左右に設けた開口からそれぞれストラップを取出すという本願発明を構成する要素、を適用した場合である。
また、本図のストラップの形状は、ストラップの輪にストラップの下方から手を入れて握りを握った場合の形状を示している。
なお、図２と同様の使用状態における従来の場合の状況を図３に示す。
これら２つの図から、図３の場合には、握りと掌のくぼみの間にストラップが介在し、違和感が生じることが判る。
【００２２】
最良の実施形態として、握り部屈曲ストックに適用した実施の形態を図１に示す。
握り上部の左右に設けられる開口１３は、前後に対称の位置に設ける必要はない。
また、左右において前後の位置を変えても良い。
しかし、一般には、杖そのものを左右共用にすることで製作費を低減できることから、握り上部の左右に設けられる開口は、握りの左右で前後位置の同じものが採用される。
【００２３】
ストラップ１４は、握り上部の開口１３の出口部分で曲げ加工を施して、下向きに握りに沿うようにすることが望ましい。
曲げ加工を施すことにより、使用状態に合致させることができ、握りを握った際の違和感を少なくし、かつ、反り返り現象に対する抵抗力を大きくすることができる。
【００２４】
ストラップ１４を屈曲点１０の上方で形成される傾斜に並行に取出すことにしたことにより、以下の結果が得られることになった。
握り１１と掌のくぼみの間にストラップが介在することがなくなり、杖を握った際の違和感が少なくなり、かつ、握りの屈曲の効果を減殺することも無くなった。
また、握りの天１２を鷲づかみで把握する際にも、直棒状の握りの場合（図２、２８）に比べてストラップは反転しにくくなり、ストラップは手から離脱しにくくなった。
特に、軸線１８と軸線１９のなす角は、握りの屈曲角と同じであることから、握りの屈曲角が大きくなればなるほど反り返り現象が起こりにくいことがわかる。
【産業上の利用可能性】
【００２５】
本願発明は、杖の握りに関するものであって、スキー等の杖を必要とするスポーツの愛好家にとって必需品となり得るものであり、産業上の利用可能性は極めて高いものである。
【００２６】
また、杖の握りとして一般需要者にも適用できるものであって利用分野が広く、産業上の利用可能性の高いものである。
【００２７】
さらに、本願発明を製品化するに際しては、構成部品が多分野に及ぶことから、多くの産業分野においても役立つものである。
【図面の簡単な説明】
【００２８】
【図１】実施例の杖使用時の状態を示す側面図である。
【図２】杖使用時の状態を示す側面図であって、従来例と実施例の中間の実施の形態を示す図である。
【図３】従来例の杖使用時の状態を示す側面図である。
【図４】従来例の杖使用前の状態を示す側面図である。
【符号の説明】
【００２９】
１０    屈曲点
１１    握り
１２    握りの天
１３    開口
１４    ストラップ
１５    ストラップ１４が上方に押し上げられ、軸線１８の位置にあるストラップ端
１６    ストラップ１４が上方に押し上げられ、軸線１９の位置にあるストラップ端
１７    シャフト
１８    開口１３の出口部のストラップ１４の幅中央を通りシャフト１７の軸線と平行な軸線
１９    開口１３の出口部のストラップ１４の幅中央を通り屈曲部分の上部部分の方向と平行な軸線
２１    握り
２２    握りの天
２３    開口
２４    ストラップ
２５    ストラップ２４が上方に押し上げられ、軸線２８の位置にあるストラップ端
２７    シャフト
２８    開口２３の出口部のストラップ２４の幅中央を通りシャフト２７の軸線と平行な軸線
３１    握り（従来例）
３２    握りの天
３３    開口
３４    ストラップ
３７    シャフト
【図１】
2005253662.tif 000003
【図２】
2005253662.tif 000004
【図３】
2005253662.tif 000005
【図４】
2005253662.tif 000006